(57)【要約】【課題】渡し樋に負荷が掛かることを抑制できる屋根構造体を提供すること。【解決手段】屋根構造体１は、屋根体６と、屋根体６を支持する柱材２と、屋根体６の下方において屋根体６の一方側と他方側とに渡されて延びる渡し樋９と、屋根体６の一方側の下方において、渡し樋９の一方側を屋根体６に固定して支持する一方側支持部材９７と、屋根体６の他方側の下方において、渡し樋９の他方側を屋根体６に対して渡し樋９の長手方向にスライド可能に支持する他方側支持部材９８と、を備える。【選択図】図４
2019127758.tif 000002
【特許請求の範囲】
【請求項１】
屋根体と、
前記屋根体を支持する柱材と、
前記屋根体の下方において前記屋根体の一方側と他方側とに渡されて延びる渡し樋と、
前記屋根体の前記一方側の下方において、前記渡し樋の一方側を前記屋根体に固定して支持する一方側支持部材と、
前記屋根体の前記他方側の下方において、前記渡し樋の他方側を前記屋根体に対して前記渡し樋の長手方向にスライド可能に支持する他方側支持部材と、を備える屋根構造体。
【請求項２】
前記屋根体は、複数の枠材が方形状に枠組みされて形成されたフレーム体と、前記フレーム体の内側に配置される複数のパネル材と、を有し、
前記屋根体の前記複数の枠材のうち前記屋根体の一方側の一方側枠材には、上面から窪むと共に前記渡し樋の一方側の部分に水を排出する一方側枠材樋が形成され、
前記屋根体の前記複数の枠材のうち前記屋根体の他方側の他方側枠材には、上面から窪むと共に前記渡し樋の他方側の部分に水を排出する他方側枠材樋が形成される請求項１に記載の屋根構造体。
【請求項３】
前記柱材側に配置される縦樋を備え、
前記渡し樋の一方側には、前記縦樋に水を排出する排水部が形成される請求項１又は２に記載の屋根構造体。
【請求項４】
前記渡し樋は、上部側が開放する断面形状がＵ字状の渡し樋本体と、前記渡し樋本体の開放された上部開口に配置される渡し樋カバー部材と、を有する請求項１〜３のいずれかに記載の屋根構造体。
【発明の詳細な説明】
【技術分野】
【０００１】
渡し樋を備える屋根構造体に関する。
【背景技術】
【０００２】
従来、屋根体と、屋根体の一方側を支持する柱材と、屋根体の一方側から他方側に延びる渡し樋と、渡し樋を屋根体の一方側で支持する一方側支持部材と、渡し樋を前記屋根体の他方側で支持する他方側支持部材と、を備える屋根構造体が知られている（例えば、特許文献１参照）。
【先行技術文献】
【特許文献】
【０００３】
【特許文献１】特開平１１−６２０２号公報
【発明の概要】
【発明が解決しようとする課題】
【０００４】
渡し樋の取付構造において、渡し樋を屋根体の一方側及び他方側の両側において固定すると、例えば、片支持の屋根構造体の場合には、屋根体が撓んだ場合に、渡し樋に負荷が掛かって渡し樋が破損する可能性がある。
【０００５】
本発明は、渡し樋に負荷が掛かることを抑制できる屋根構造体を提供することを目的とする。
【課題を解決するための手段】
【０００６】
本発明者は、屋根体（例えば、後述の屋根体６）と、前記屋根体を支持する柱材（例えば、後述の支柱２）と、前記屋根体の下方において前記屋根体の一方側と他方側とに渡されて延びる渡し樋（例えば、後述の渡し樋９）と、前記屋根体の前記一方側の下方において、前記渡し樋の一方側を前記屋根体に固定して支持する一方側支持部材（例えば、後述の基端側支持部材９７）と、前記屋根体の前記他方側の下方において、前記渡し樋の他方側を前記屋根体に対して前記渡し樋の長手方向にスライド可能に支持する他方側支持部材（例えば、後述の先端側支持部材９８）と、を備える屋根構造体（例えば、後述の屋根構造体１）に関する。
【０００７】
また、前記屋根体は、複数の枠材（例えば、後述の前後枠材６２、左右枠材６３）が方形状に枠組みされて形成されたフレーム体（例えば、後述のフレーム体６１）と、前記フレーム体の内側に配置される複数のパネル材（例えば、後述のパネル材６７）と、を有し、前記屋根体の前記複数の枠材のうち前記屋根体の一方側の一方側枠材（例えば、後述の左枠材６３Ａ）には、上面から窪むと共に前記渡し樋の一方側の部分に水を排出する一方側枠材樋（例えば、後述の左右枠材側樋部６３２）が形成され、前記屋根体の前記複数の枠材のうち前記屋根体の他方側の他方側枠材（例えば、後述の右枠材６３Ｂ）には、上面から窪むと共に前記渡し樋の他方側の部分に水を排出する他方側枠材樋（例えば、後述の左右枠材側樋部６３２）が形成されることが好ましい。
【０００８】
また、前記柱材側に配置される縦樋（例えば、後述の縦樋構成空間３０１）を備え、前記渡し樋の一方側には、前記縦樋に水を排出する排水部（例えば、後述の排水開口部９１５ａ）が形成されることが好ましい。
【０００９】
また、前記渡し樋は、上部側が開放する断面形状がＵ字状の渡し樋本体（例えば、後述の渡し樋本体９１）と、前記渡し樋本体の開放された上部開口に配置される渡し樋カバー部材（例えば、後述の渡し樋上面カバー部材９２）と、を有することが好ましい。
【発明の効果】
【００１０】
本発明によれば、渡し樋に負荷が掛かることを抑制できる屋根構造体を提供することができる。
【図面の簡単な説明】
【００１１】
【図１】本発明の一実施形態に係るシェルターを斜め上方側から見た斜視図である。
【図２】本発明の一実施形態に係るシェルターを斜め下方側から見た斜視図である。
【図３】シェルターの屋根体の平面図である。
【図４】図３のＡ−Ａ線断面図である。
【図５】図３のＢ−Ｂ線断面図である。
【図６】図４のＣ−Ｃ線断面図である。
【図７】図４のＤ部分の拡大図である。
【図８】図４のＥ部分の拡大図である。
【図９】図７のＦ部分の拡大図である。
【図１０】図８のＧ部分の拡大図である。
【図１１】吊金具の構成を屋根体の外側から見た斜視図である。
【図１２】吊金具の構成を屋根体の内側から見た斜視図である。
【図１３】図７のＨ−Ｈ線断面図である。
【図１４】（ａ）は、図７のＩ−Ｉ線断面図であり、（ｂ）は、図８のＪ−Ｊ線断面図である。
【図１５】図５のＫ部分の拡大図である。
【図１６】図５のＬ部分の拡大図である。
【発明を実施するための形態】
【００１２】
以下、本発明の屋根構造体としてのシェルター１の一実施形態について、図面を参照しながら説明する。図１は、本発明の一実施形態に係るシェルター１を斜め上方側から見た斜視図である。図２は、本発明の一実施形態に係るシェルター１を斜め下方側から見た斜視図である。図３は、シェルター１の屋根体６の平面図である。図４は、図３のＡ−Ａ線断面図である。図５は、図３のＢ−Ｂ線断面図である。
【００１３】
本実施形態においては、屋根構造体を、シェルター１に適用した例について説明する。なお、本実施形態においては、屋根構造体をシェルター１に適用した例について説明するが、これに限定されない。例えば、屋根構造体を、シェルター以外の構造物、例えば、カーポート、駐輪場、休憩所、テラス、バス停などの構造物に適用してもよい。
【００１４】
なお、本実施形態の説明においては、２つの支柱２が並ぶ方向であって屋根体６の長手方向を前後方向ともいう。屋根体６の前後方向において、図１におけるシェルター１の左手前側を前側ともいい、シェルター１の右奥側を後側ともいう。また、屋根体６の長手方向に直交する方向を左右方向ともいう。屋根体６の左右方向において、図１におけるシェルター１の左奥側を左側ともいい、シェルター１の右手前側を右側ともいう。本実施形態においては、屋根体６は、四周を囲むフレーム体６１が水平方向にフラットに形成され、屋根体６の内部側においてアーチ状に上方側に湾曲して形成される。
【００１５】
まず、本実施形態のシェルター１の全体構造について説明する。本実施形態のシェルター１は、図１〜図３に示すように、屋根体６を左右方向の左側（一方側）において２つの支柱２で支持する、いわゆる、片支持構造のシェルターである。また、本実施形態のシェルター１は、２つの梁４に複数の吊金具５を介して屋根体６に吊られる吊り構造で構成される。
【００１６】
図１〜図５に示すように、本実施形態のシェルター１は、地面に立設される２つの支柱２（柱材）と、支柱２の側部に配置された支柱側部箱体３と、支柱２の上端部から支柱２に交差する方向に延びる２つの梁４と、支柱２と梁４とを連結するＬ字状の連結部材４１（図４参照）と、梁４の下方に配置される屋根体６と、梁４と屋根体６との間に配置される複数の吊金具（吊り具）５と、屋根体６の左右方向の両端部側に配置される一対の照明取付枠体８（図２参照）と、一対の照明取付枠体８に取り付けられる一対の直接照明装置８５（図２参照）と、屋根体６の下方において梁４が延びる方向に延びる渡し樋９と、を備える。
【００１７】
２つの支柱２（柱材）は、シェルター１の左右方向の左側（一方側）に配置される。支柱２は、アルミ材料の押出し形材で形成され、断面が中空状の中空部を有するホロー構造を有する。支柱２は、上下方向に延びて形成される。
【００１８】
２つの梁４は、図１に示すように、屋根体６の長手方向に離間して並んで配置される。２つの梁４は、それぞれ、左右方向に延びると共に、支柱２側に僅かに下る下り傾斜で形成される。梁４における支柱２が配置される基端側（左側）は、図４に示すように、Ｌ字状の連結部材４１を介して、支柱２の上端部に接続される。２つの梁４の基端側（左側）の下面及び先端側（右側）の下面には、吊金具５が接続される。吊金具５は、１つの梁４について２つずつ、２つの梁４で、計４つ設けられる。屋根体６は、４つの吊金具５を介して、２つの梁４に吊られている。
【００１９】
屋根体６は、吊金具５を介して、２つの梁４に吊られている。屋根体６は、左右方向において支柱２と反対側の先端側（右側、他方側）から支柱２側（左側、一方側）に向かうに従って僅かに下る下り傾斜で配置される。屋根体６は、図１及び図２に示すように、フレーム体６１と、複数の中間アーチ６４（中間部材）と、フレーム体６１の内側に配置される複数のパネル材６７と、複数の左右枠材側パネル端部押さえ部材６３３と、一対の前後枠材側パネル端部カバー部材６２７と、を有する。フレーム体６１は、一対の前後枠材６２（枠材）と、一対の左右枠材６３（枠材）と、が方形状に枠組みされて水平方向にフラットに形成される。
【００２０】
一対の前後枠材６２には、それぞれ、上面から窪む前後枠材側樋部（枠材側樋）６２２が形成される。前後枠材側樋部６２２は、前後枠材６２における幅方向の外側に形成され、前後枠材６２の長手方向に延びる。
一対の左右枠材６３には、それぞれ、上面から窪む左右枠材側樋部（枠材側樋）６３２が形成される。左右枠材側樋部６３２は、左右枠材６３における幅方向の外側に形成され、左右枠材６３の長手方向に延びる。
一対の前後枠材６２の前後枠材側樋部６２２及び一対の左右枠材６３の左右枠材側樋部６３２は、フレーム体６１の全周に連通しており、フレーム体６１の四周に亘って連続して形成される。
【００２１】
一対の前後枠材６２は、屋根体６の前側に配置される前枠材６２Ａと、屋根体６の後側に配置される後枠材６２Ｂと、により構成される。前枠材６２Ａ及び後枠材６２Ｂは、屋根体６の前端部又は後端部において、左右方向の水平方向に直線状に延びて形成される。本実施形態においては、前後枠材６２における前枠材６２Ａ及び後枠材６２Ｂは、前後の位置及び向きが異なるのみで、同様の構成を有する。そのため、前枠材６２Ａ及び後枠材６２Ｂの説明について、特に区別の必要がない場合には、「前後枠材６２」として説明する。
【００２２】
一対の左右枠材６３は、一対の前後枠材６２に直交して配置され、屋根体６の左側に配置される左枠材６３Ａ（一方側枠材）と、屋根体６の右側に配置される右枠材６３Ｂ（他方側枠材）と、により構成される。左枠材６３Ａ及び右枠材６３Ｂは、屋根体６の左端部又は右端部において、前後方向の水平方向に直線状に延びて形成される。支柱２側の左枠材６３Ａは、屋根体６の左側（一方側）の長手方向に延びる辺において、前後方向に並ぶ２つの支柱２に渡されており、２つの支柱２に支持される。そのため、左枠材６３Ａは、桁材として機能する。なお、本実施形態においては、左右枠材６３における左枠材６３Ａ及び右枠材６３Ｂは、左右の位置及び向きが異なるのみで、同様の構成を有する。そのため、左枠材６３Ａ及び右枠材６３Ｂの説明について、特に区別の必要がない場合には、「左右枠材６３」として説明する。
【００２３】
複数の中間アーチ６４は、一対の前後枠材６２の間に複数並んで配置される。複数の中間アーチ６４は、前後枠材６２の長手方向（屋根体６の左右方向）に延びて形成され、一対の左右枠材６３に亘って配置される。複数の中間アーチ６４は、それぞれ、長手方向の両端部それぞれが一対の左右枠材６３に接続され、一対の左右枠材６３を左右方向に繋ぐように配置される。複数の中間アーチ６４は、図４に示すように、長手方向の中央が両端部よりも上方側に位置するようにアーチ状に湾曲して形成される。
【００２４】
複数のパネル材６７は、図１〜図３に示すように、一対の左右枠材６３の間に複数並んで配置される。複数のパネル材６７は、隣接する中間アーチ６４の間に配置される複数の中間パネル材６７１と、中間アーチ６４と前枠材６２Ａとの間に配置される端部パネル材６７２と、中間アーチ６４と後枠材６２Ｂとの間に配置される端部パネル材６７２と、を有する。中間パネル材６７１及び２つの端部パネル材６７２は、所定の厚みを有すると共に屋根体６の前後方向に所定の幅を有して、屋根体６の左右方向に延びる。
【００２５】
複数の中間パネル材６７１は、それぞれ、隣接する中間アーチ６４の間に配置され、隣接する中間アーチ６４それぞれに連結される。中間パネル材６７１は、隣接する中間アーチ６４の湾曲形状に沿って、長手方向の中央が両端部よりも上方側に位置するようにアーチ状に湾曲する。
【００２６】
端部パネル材６７２は、中間アーチ６４と前後枠材６２との間に配置される。端部パネル材６７２は、中間アーチ６４と前後枠材６２とに連結され、中間アーチ６４側において中間アーチ６４の湾曲形状に沿って湾曲すると共に前後枠材６２側において前後枠材６２の水平形状に沿って形成される。また、端部パネル材６７２は、図５に示すように、中間アーチ６４から前後枠材６２に向かって下り傾斜で傾斜する。
【００２７】
一対の照明取付枠体８は、図２及び図４に示すように、屋根体６の左右方向の両側に設けられる。照明取付枠体８は、左右枠材６３（枠材）における左枠材６３Ａ（枠材）及び右枠材６３Ｂ（枠材）の両方において、左右枠材６３（枠材）の内側の面に取り付けられる。照明取付枠体８には、直接照明装置８５（照明装置）が取り付けられる。これにより、本実施形態のシェルター１の照明構造においては、直接照明装置８５は、屋根体６の左右方向の両側に一対設けられている。なお、本実施形態においては、直接照明装置８５は、屋根体６の左右方向の両側に一対設けられているが、これに限定されない。直接照明装置８５は、少なくとも、支柱２が配置される屋根体６の一方側とは反対側（屋根体６の他方側）に配置されていることが好ましく、支柱２が配置されていない側のみに配置されていてもよく、本実施形態のように、屋根体６の左右方向の両側に配置されていてもよい。
【００２８】
渡し樋９は、図２及び図４に示すように、屋根体６の下方に配置され、屋根体６の左右方向において一方側と他方側とに渡されて延びる。本実施形態においては、渡し樋９は、屋根体６の左右方向において、支柱２と反対側から支柱２まで延びる。渡し樋９は、支柱２と反対側の左枠材６３Ａに形成される左右枠材側樋部６３２（一方側枠材樋）と、支柱２側の右枠材６３Ｂに形成される左右枠材側樋部６３２（他方側枠材樋）と、から排出された水を、支柱２側に流すように、屋根体６の左右方向において、先端側（右側）から支柱２側（左側）に向かうに従って僅かに下る下り傾斜で形成される。
【００２９】
次に、本実施形態のシェルター１の各構成の詳細について説明する。図６は、図４のＣ−Ｃ線断面図である。図７は、図４のＤ部分の拡大図である。図８は、図４のＥ部分の拡大図である。図９は、図７のＦ部分の拡大図である。図１０は、図８のＧ部分の拡大図である。図１１は、吊金具５の構成を屋根体６の外側から見た斜視図である。図１２は、吊金具５の構成を屋根体６の内側から見た斜視図である。
【００３０】
支柱２は、図６に示すように、横断面が角筒状に形成される中空部を有する支柱側ホロー部２１と、支柱側ホロー部２１の左右方向の両側の側面から外部側に突出する一対のカバー取付係合片２２ａ，２２ｂと、を有する。一対のカバー取付係合片２２ａ，２２ｂには、支柱２の左右方向の両側において、一対の支柱カバー部材２３が係合して取り付けられる。
【００３１】
支柱側部箱体３は、図１及び図２に示すように、支柱２における屋根体６の前側の側面に、支柱２と一体で設けられる。支柱側部箱体３の内部には、図６及び図７に示すように、縦樋構成空間３０１と、配線空間３０２と、が形成される。縦樋構成空間３０１は、縦樋を構成する。縦樋構成空間３０１には、誘導部材３６を介して、渡し樋９から排出された水が流通される。配線空間３０２には、直接照明装置８５の配線ケーブル８５ａ（図８参照）や間接照明装置（図示せず）の配線ケーブル（図示せず）が配置される。
【００３２】
支柱側部箱体３の内部には、縦樋構成空間３０１及び配線空間３０２が、屋根体６の左右方向に並んで配置される。支柱側部箱体３の内部において、屋根体６の内側には、配線空間３０２が配置され、屋根体６の外側には、縦樋構成空間３０１が配置される。
【００３３】
支柱側部箱体３は、図６に示すように、ベース部材３１と、縦樋側カバー部材３２と、配線側カバー部材３３と、を有する。ベース部材３１は、ベース板３１１と、ベース板３１１から側方に立設される仕切壁３１２（仕切部材）と、を有する。
【００３４】
縦樋側カバー部材３２は、図６に示すように、支柱側部箱体３における仕切壁３１２の外側（屋根体６と反対側）の空間において、縦樋構成空間３０１を覆うようにベース部材３１に取り付けられる。縦樋構成空間３０１には、誘導部材３６（図７参照）を介して、渡し樋９の支柱２側の端部に形成された排水開口部（排水部）９１５ａ（後述）から排出された水が流される。
【００３５】
誘導部材３６は、図７に示すように、渡し樋９における支柱２側の端部の排水開口部９１５ａ（後述）に接続され、支柱側部箱体３の内部に配置される。渡し樋９は、屋根体６の支柱２と反対側から支柱２まで延びる。誘導部材３６は、渡し樋９の排水開口部９１５ａ（後述）から排出される水を、支柱側部箱体３の縦樋構成空間３０１に誘導する。誘導部材３６は、断面形状において、一端部が渡し樋９の排水開口部９１５ａ（後述）に接続された横筒部３６１と、横筒部３６１の渡し樋９の排水開口部９１５ａ（後述）と反対側の他端部から下方側に傾斜して曲がる傾斜筒部３６２と、を有する。傾斜筒部３６２の先端側開口３６２ａは、支柱側部箱体３の縦樋構成空間３０１に開口される。
【００３６】
配線側カバー部材３３は、図６に示すように、支柱側部箱体３における仕切壁３１２の内側（屋根体６側）において、配線空間３０２を覆うようにベース部材３１に取り付けられる。配線空間３０２には、直接照明装置８５の配線ケーブル８５ａや間接照明装置（図示せず）の配線ケーブル（図示せず）が配置される。
【００３７】
屋根体６の詳細について説明する。屋根体６は、図１及び図２に示すように、フレーム体６１と、複数の中間アーチ６４と、複数のパネル材６７と、一対の複数の左右枠材側パネル端部押さえ部材６３３（パネル押さえ部材）と、前後枠材側パネル端部カバー部材６２７と、を有する。フレーム体６１は、一対の前後枠材６２と、一対の左右枠材６３と、が方形状に枠組みされて形成される。
【００３８】
一対の左右枠材６３は、図１〜図３に示すように、左右方向に離間して配置され、屋根体６の前後方向に水平に延びて形成される。一方側（支柱２側）の左枠材６３Ａは、図４に示すように、梁４の下方であって支柱２の上部側において、支柱２の側方に配置される。
【００３９】
一対の左右枠材６３は、屋根体６の左右方向の両端部に設けられる。本実施形態においては、屋根体６が支柱２側に下るように僅かに傾斜して配置されているが、屋根体６を水平に配置した場合に、一対の左右枠材６３は、左右対称の構造である。そのため、一対の左右枠材６３の周辺の構造について、左右対称であって同様の構成については、区別せずに説明する。一対の左右枠材６３の周辺の構造について、異なる構成については説明する。
【００４０】
図７及び図８に示すように、左右枠材６３は、中空部を有して構成される左右枠材側ホロー部（ホロー構造部）６３１と、左右枠材側樋部６３２（枠材側樋）と、側方突出部６６と、を有する。左右枠材側ホロー部６３１及び左右枠材側樋部６３２は、左右枠材６３の幅方向において並んで配置される。左右枠材６３の幅方向において、屋根体６の内側には、左右枠材側ホロー部６３１が配置され、屋根体６の外側には、左右枠材側樋部６３２が配置される。
【００４１】
左右枠材側ホロー部６３１は、図９及び図１０に示すように、左右枠材６３における屋根体６の内側に形成され、左右枠材６３の長手方向の全域に亘って延びる。左右枠材側ホロー部６３１は、下部に形成される左右枠材側下部溝６３１ａと、左右枠材側下部溝６３１ａを覆う下部カバー部材６３１ｂと、照明ブラケット取付部６３１ｃと、を有する。左右枠材側下部溝６３１ａは、左右枠材側ホロー部６３１の下部において左右枠材側ホロー部６３１の下端部から上方に窪む凹状に形成され、左右枠材６３の長手方向に延びる。
【００４２】
左枠材６３Ａの左右枠材側下部溝６３１ａにおいて、渡し樋９（後述）が配置される部分に対応した屋根体６の前後方向の位置には、渡し樋９の基端側を支持する基端側支持部材９７（後述）が配置される。右枠材６３Ｂの左右枠材側下部溝６３１ａにおいて、渡し樋９（後述）が配置される部分に対応した屋根体６の前後方向の位置には、渡し樋９の先端側を支持する先端側支持部材９８（後述）が配置される。基端側支持部材９７及び先端側支持部材９８は、左右枠材側下部溝６３１ａ内において、左右枠材側ホロー部６３１の下面にネジ固定される。基端側支持部材９７及び先端側支持部材９８の詳細については後述する。左右枠材側ホロー部６３１の下方には、基端側支持部材９７及び先端側支持部材９８が配置されていない部分において、左右枠材側下部溝６３１ａを覆うように、下部カバー部材６３１ｂが取り付けられる。これにより、左右枠材側下部溝６３１ａは、下部カバー部材６３１ｂにより、下方側から覆われる。
【００４３】
左右枠材側樋部６３２は、左右枠材側ホロー部６３１における屋根体６の外側に形成され、左右枠材６３の長手方向の全域に亘って延びる。左右枠材側樋部６３２は、左右枠材６３における上方が開放された枠状に形成され、屋根体６の上面を流れる水が流入されて、左右枠材側樋部６３２には、流入された水が溜められる。
【００４４】
左右枠材側樋部６３２の底面には、図３、図９及び図１０に示すように、渡し樋９が配置される部分に対応した屋根体６の前後方向の位置において、貫通穴６３２ａが形成される。貫通穴６３２ａの下方には、図７及び図８に示すように、渡し樋９の端部の上面開口部９ａ（後述）が形成されている。貫通穴６３２ａには、排水アタッチメント３５が取り付けられる。
【００４５】
排水アタッチメント３５は、図９及び図１０に示すように、上下方向に貫通する筒状に形成され、左右枠材側樋部６３２に溜められた水を、渡し樋９の両端部に形成される上面開口部９ａ（図７及び図８参照）（後述）を介して、渡し樋９の内部に流入させる。
【００４６】
排水アタッチメント３５は、図９及び図１０に示すように、上下方向に延びる筒状部３５０と、筒状部３５０の途中において径方向に突出するフランジ３５２と、を有する。筒状部３５０は、フランジ３５２よりも上方側に形成される上部筒状部３５１と、フランジ３５２よりも下方側に形成される下部筒状部３５３と、を有する。排水アタッチメント３５は、左右枠材側樋部６３２の底面の下面にフランジ３５２を配置した状態で、左右枠材６３の左右枠材側樋部６３２の貫通穴６３２ａに取り付けられる。
【００４７】
左右一対の排水アタッチメント３５のうち、支柱２側の排水アタッチメント３５の下部筒状部３５３には、図７及び図９に示すように、筒状延在アタッチメント３５４が取り付けられる。筒状延在アタッチメント３５４は、筒状に形成され、支柱２側の排水アタッチメント３５の下部筒状部３５３から下方に延び、渡し樋９の端部の上面開口部９ａ（後述）を介して、渡し樋９の内部に挿入される。筒状延在アタッチメント３５４の下端部は、渡し樋９の内部に配置される。
【００４８】
照明ブラケット取付部６３１ｃは、左右枠材側ホロー部６３１の内側から左右枠材側ホロー部６３１の内側の側方に方形状に突出して形成される。照明ブラケット取付部６３１ｃには、断面形状がＬ字形状の取付部材６３１ｊを介して、照明取付枠体８が取り付けられる。
【００４９】
側方突出部６６は、図９及び図１０に示すように、左右枠材側ホロー部６３１の左右枠材側樋部６３２側の側部から屋根体６の外側に突出することで、左右枠材側ホロー部６３１の上方側に方形状に突出する。側方突出部６６には、後述する吊金具５が取り付けられる。側方突出部６６の内部側には、裏板配置溝６６１が形成される。裏板配置溝６６１は、左右枠材６３の長手方向に延びる。
【００５０】
裏板配置溝６６１には、図９及び図１０に示すように、裏板部材６６５が配置される。裏板部材６６５は、図１１及び図１２に示すように、左右枠材６３の長手方向に所定長さ延びて形成され、吊金具５の第２構成部５２（後述）の長手方向の長さよりも長く形成される。
【００５１】
裏板部材６６５は、長手方向の中央近傍において、上面から窪み且つ幅方向に延びる裏板溝６６５ａを有する。裏板溝６６５ａには、吊金具５の第２構成部５２（後述）の上側板部５２１（後述）及び側方突出部６６の上部を貫通するネジ６６６の先端が配置される。ネジ６６６は、上側板部５２１（後述）の上方側から移動されることで、上側板部５２１（後述）と側方突出部６６の上部とをネジ止めした状態で、先端が、裏板配置溝６６１に配置された裏板部材６６５の裏板溝６６５ａに挿入される。これにより、ネジ６６６の先端が裏板部材６６５の裏板溝６６５ａに挿入されることで、左右枠材６３の長手方向における吊金具５の位置を位置決めする。
【００５２】
裏板部材６６５は、裏板配置溝６６１の内部において、左右枠材６３の長手方向に移動させることが可能である。吊金具５が側方突出部６６に取り付けられた状態で、吊金具５の側方から移動されるネジ５０１（締結部材）により、吊金具５と裏板配置溝６６１に配置された裏板部材６６５に締結される。これにより、裏板配置溝６６１に配置された裏板部材６６５には、吊金具５を介して、梁４及び支柱２が接続されている。そのため、梁４及び支柱２は、左右枠材６３が延びる方向に移動可能な状態で、屋根体６の左右枠材６３の裏板配置溝６６１に取り付けられている。
【００５３】
屋根体６は、左右方向の両端部側における左右枠材６３の側方突出部６６において、吊金具５により、梁４に吊られている。吊金具５は、図７〜図１０に示すように、梁４と屋根体６との間に介在して配置され、屋根体６を梁４に吊り下げる。
【００５４】
吊金具５は、図９〜図１２に示すように、第１構成部５１と、第２構成部５２と、を有する。第１構成部５１と第２構成部５２とは、例えば、溶接により接合されている。
【００５５】
第１構成部５１は、梁４に接続される梁接続部分５１１と、梁接続部分５１１における屋根体６の外側から下方側に延びる上下方向延在部５１２と、上下方向延在部５１２の下端部から屋根体６側に突出する下側板部５１５と、一対の補強リブ５１６と、を有する。
【００５６】
梁接続部分５１１は、梁４の下面に平行な板状に形成される。梁接続部分５１１は、梁４の下面にネジ固定される。
【００５７】
上下方向延在部５１２は、梁接続部分５１１における屋根体６の外側の端部から下方側に延びる板状に形成される。上下方向延在部５１２は、上方側に形成される上側幅狭部５１３（第２部分）と、上側幅狭部５１３の下端部から下方に延びる下側幅広部５１４（第１部分）と、を有する。
【００５８】
下側幅広部５１４は、上下方向延在部５１２の下方側において、下側板部５１５（後述）と上側板部５２１（後述）との間に配置される部分を有する。下側幅広部５１４は、水平方向の幅が所定幅で形成される。
上側幅狭部５１３は、下側幅広部５１４よりも上方側に形成され、下側幅広部５１４の上端部から上方側に延びる。上側幅狭部５１３は、水平方向の幅が、下側幅広部５１４の幅よりも小さい幅で形成される。
【００５９】
下側板部５１５は、上下方向延在部５１２の下端部から屋根体６側の側方に突出して水平方向に延びる板状に形成される。下側板部５１５は、屋根体６の左右枠材６３の側方突出部６６の下面の下側に配置される。
【００６０】
一対の補強リブ５１６は、上下方向延在部５１２の上側幅狭部５１３における屋根体６側の面から屋根体６側に立設される。一対の補強リブ５１６は、上側幅狭部５１３の幅方向に離間して配置され、上下方向に延びる。
【００６１】
本実施形態においては、上下方向延在部５１２において、上側幅狭部５１３の幅は、下側幅広部５１４の幅よりも小さい幅で形成されている。そして、上側幅狭部５１３の屋根体６側の面には、一対の補強リブ５１６が立設される。これにより、一対の補強リブ５１６の上側幅狭部５１３の幅を小さく形成することで、上下方向延在部５１２の外観をスッキリさせて意匠性を向上させることができる。また、一対の補強リブ５１６を上側幅狭部５１３の屋根体６側の面に設けることで、上側幅狭部５１３を補強して、吊金具５の強度を確保できる。
【００６２】
第２構成部５２は、上下方向延在部５１２の下部において屋根体６側の面に接合される。第２構成部５２は、断面形状がＬ字形状に形成され、左右枠材６３の長手方向に所定長さで延びる。
【００６３】
第２構成部５２は、上下方向延在部５１２の下端部において上下方向延在部５１２に平行に形成され且つ左右枠材６３の長手方向に延びる側面板部５２２と、側面板部５２２の上端部から屋根体６側に突出して水平方向に延びる上側板部５２１と、を有する。
【００６４】
側面板部５２２は、上下方向延在部５１２の下端部において、上下方向延在部５１２に沿って延びる板状に形成される。側面板部５２２は、上下方向に幅を有して、左右枠材６３の長手方向に所定長さ延びる。
【００６５】
上側板部５２１は、側面板部５２２の上端部から、上下方向延在部５１２の屋根体６側の側方に突出する板状に形成される。上側板部５２１は、屋根体６の左右方向に幅を有して、左右枠材６３の長手方向に所定長さ延びる。上側板部５２１は、第１構成部５１の下側板部５１５の上方側において、下側板部５１５に対向して配置される。上側板部５２１は、屋根体６の左右枠材６３の側方突出部６６の上面の上側に配置される。
【００６６】
上側板部５２１の左右枠材６３の長手方向の長さは、側面板部５２２と同じ長さで形成される。上側板部５２１の左右枠材６３の長手方向の長さは、下側板部５１５の左右枠材６３の長手方向の長さよりも長く形成される。
【００６７】
以上のように構成される吊金具５の上側板部５２１と下側板部５１５との間には、屋根体６の左右枠材６３の側方突出部６６が配置される。そして、屋根体６の左右枠材６３の側方突出部６６が、吊金具５の上側板部５２１と下側板部５１５との間に配置された状態で、吊金具５は、梁４と屋根体６とを接続する。横方向に延びるネジ５０１を側方から移動させることで、ネジ５０１は、吊金具５の上下方向延在部５１２の下側幅広部５１４、第２構成部５２の側面板部５２２、裏板配置溝６６１に配置された裏板部材６６５の順に横方向に貫通し、裏板部材６６５に締結される。これにより、横方向に延びるネジ５０１によって、裏板配置溝６６１に配置された裏板部材６６５に締結されることで、吊金具５は、屋根体６の側方突出部６６に固定される。
【００６８】
よって、吊金具５において、ネジ５０１が外れても、下側板部５１５が側方突出部６６の下側に配置されているため、下側板部５１５により、側方突出部６６を支持できる。よって、屋根体６の吊り下げ構造を強固な構造にすることができる。更に、上側板部５２１及び下側板部５１５により、側方突出部６６を上下から挟み込むことで、下側板部５１５に過大な荷重か掛かった場合でも、下側板部５１５の変形を低減するように、上側板部５２１により、側方突出部６６を上面側から保持できる。従って、屋根体６の吊り下げ構造を、一層強固な構造にすることができる。
【００６９】
渡し樋９について説明する。図１３は、図７のＨ−Ｈ線断面図である。図１４（ａ）は、図７のＩ−Ｉ線断面図である。図１４（ｂ）は、図８のＪ−Ｊ線断面図である。
渡し樋９は、図４に示すように、屋根体６の下方に取り付けられる。渡し樋９は、図３に示すように、屋根体６の前後方向における梁４の僅かに前側の位置において、梁４に沿って屋根体６の左右方向に延びる。渡し樋９は、屋根体６の左右方向において、先端側（右側）から支柱２側（左側）に向かうに従って僅かに下る下り傾斜で形成される。
【００７０】
渡し樋９は、図１３に示すように、断面形状がＵ字状の渡し樋本体９１と、渡し樋本体９１の開放された上部開口を覆うように渡し樋本体９１の上端部に配置される渡し樋上面カバー部材９２（渡し樋カバー部材）と、一対の渡し樋側面カバー部材９３と、を有する。
【００７１】
渡し樋本体９１は、図１３に示すように、上部側が開放する断面形状がＵ字状に形成され、上部側の側面において内側に窪む一対の凹部９１１と、内部において一対の凹部９１１の下端から下方に延びる一対の係止片９１２と、上端部において一対の凹部９１１の外方に延出する外方延出片９１３と、を有する。
【００７２】
渡し樋上面カバー部材９２は、渡し樋本体９１の上面の上部開口を覆うように、渡し樋本体９１に取り付けられる。渡し樋上面カバー部材９２は、図７及び図８に示すように、渡し樋本体９１に沿って延びている。渡し樋上面カバー部材９２は、屋根体６の左右方向の一方側（左枠材６３Ａ側）の端部及び他方側（右枠材６３Ｂ側）の端部まで延びておらず、屋根体６の左右方向の一方側（左枠材６３Ａ側）の端部及び他方側（右枠材６３Ｂ側）の端部には、上面開口部９ａが形成される。
【００７３】
渡し樋９の一方側（左枠材６３Ａ側）の端部において、図７に示すように、上面開口部９ａには、渡し樋上面カバー部材９２が設けられておらず、渡し樋本体９１の屋根体６の左右方向の一方側（左枠材６３Ａ側）の端部には、左枠材６３Ａの左右枠材側樋部６３２（一方側枠材樋）から排出された水が導入される。
また、渡し樋９の他方側（右枠材６３Ｂ側）の端部において、図８に示すように、上面開口部９ａには、渡し樋上面カバー部材９２が設けられておらず、渡し樋本体９１の屋根体６の左右方向の他方側（右枠材６３Ｂ側）の端部には、右枠材６３Ｂの左右枠材側樋部６３２（他方側枠材樋）から排出された水が導入される。
【００７４】
渡し樋上面カバー部材９２は、図１３に示すように、幅方向の中央が下方に窪むように湾曲する湾曲上面板９２１と、湾曲上面板９２１の幅方向の両端部から下方に延びる一対の挿入片９２２と、湾曲上面板９２１の幅方向の両端部から上方に延びる上方延出片９２３と、上方延出片９２３の上端部から湾曲上面板９２１の幅方向の外側に突出する外側突出片９２４と、上方延出片９２３の上端部から湾曲上面板９２１の幅方向の内側に突出する内側突出片９２５と、を有する。
【００７５】
渡し樋上面カバー部材９２の湾曲上面板９２１は、直接照明装置８５の配線ケーブル８５ａを配置可能な配線通し部材９５を構成する。配線通し部材９５は、屋根体６の一方側と他方側とを接続するように延びて形成され、渡し樋９に沿って屋根体６の左右方向に延びる。配線通し部材９５には、直接照明装置８５の配線ケーブル８５ａが配置される。具体的には、配線通し部材９５の上面には、支柱２側において、支柱２側の直接照明装置８５（後述）の配線ケーブル８５ａが配置される。また、配線通し部材９５には、屋根体６の他方側と一方側との間において、渡し樋９に沿って、支柱２とは反対側に配置される直接照明装置８５の配線ケーブル８５ａが配置される。これにより、配線通し部材９５により、直接照明装置８５の配線ケーブル８５ａを、屋根体６における支柱２が配置されない側から、支柱２側に配線することができる。よって、片支持構造の屋根体６であっても、直接照明装置８５を、屋根体６における支柱２と反対側に配置できる。
【００７６】
配線通し部材９５の上面は、幅方向の中央が下方に窪むように湾曲する。そのため、渡し樋９の湾曲上面板９２１を利用した配線通し部材９５の上面に配線ケーブル８５ａを配線することで、配線ケーブル８５ａを屋根体６の下方から見えないように配線できる。よって、意匠性を向上できる。また、配線通し部材９５においては、湾曲上面板９２１の上面に沿って配線ケーブル８５ａを配置しやすく、配線ケーブル８５ａの配線経路が明確になるため、施工性を向上できる。特に、本実施形態の片支持構造のシェルター１においては、支柱２が存在しない側に配置される直接照明装置８５の配線ケーブル８５ａを渡し樋９の渡し樋上面カバー部材９２に沿って配線できるため、効果的である。
【００７７】
図７に示すように、渡し樋本体９１の基端側（一方側）は、基端側支持部材９７により支持されて左枠材６３Ａに固定される。基端側支持部材９７は、図１４（ａ）に示すように、下方側が開放するＵ字状に形成され、閉止側の上端部に形成される閉止側板部９７１と、開放側の下端部から外側の斜め上方に突出する一対の支持部引っ掛け片９７２と、を有する。
【００７８】
閉止側板部９７１は、左右枠材６３の左右枠材側下部溝６３１ａに配置され、左右枠材６３の左右枠材側下部溝６３１ａにおいて左右枠材６３の下面に固定される。
一対の支持部引っ掛け片９７２は、渡し樋本体９１の開放側の上部から挿入され、渡し樋本体９１の一対の係止片９１２に引っ掛けられることで、基端側支持部材９７は、渡し樋本体９１を支持する。
【００７９】
一対の係止片９１２に基端側支持部材９７の一対の支持部引っ掛け片９７２が係止された状態で、渡し樋本体９１の凹部９１１の側壁９１１ａと基端側支持部材９７の下部の側壁９７１ａとはネジ９７ａにより固定される。凹部９１１には、ネジ９７ａを隠すように、渡し樋側面カバー部材９３が取り付けられる。
【００８０】
図８に示すように、渡し樋本体９１の先端側（他方側）は、先端側支持部材９８により渡し樋９の長手方向（屋根体６の左右方向）にスライド可能に支持されて右枠材６３Ｂに固定される。先端側支持部材９８は、図１４（ｂ）に示すように、下方側が開放するＵ字状に形成され、閉止側の上端部に形成される閉止側板部９８１と、開放側の下端部から斜め上方の外側に突出する一対の支持部引っ掛け片９８２と、を有する。
【００８１】
閉止側板部９８１は、左右枠材６３の左右枠材側下部溝６３１ａに配置され、左右枠材６３の左右枠材側下部溝６３１ａにおいて左右枠材６３の下面に固定される。
一対の支持部引っ掛け片９８２は、渡し樋本体９１の開放側の上部から挿入され、渡し樋本体９１の一対の係止片９１２に引っ掛けられることで、先端側支持部材９８は、渡し樋本体９１を長手方向にスライド可能な状態で支持する。凹部９１１には、渡し樋側面カバー部材９３が取り付けられる。
【００８２】
以上の渡し樋９においては、基端側支持部材９７により、渡し樋９の基端側を左枠材６３Ａに固定して支持すると共に、先端側支持部材９８により、渡し樋９の他方側を屋根体６に対して渡し樋９の長手方向にスライド可能に支持する。そのため、屋根体６が撓んだとしても、渡し樋９に掛かる負荷を逃がすことができ、渡し樋９に負荷が掛かることを抑制できる。よって、渡し樋９の破損を抑制でき、渡し樋９の落下を抑制できる。これにより、安全性を向上できる。
【００８３】
渡し樋本体９１は、図７に示すように、支柱２側の基端側の端部において、支柱２側の側方に開口する排水開口部９１５ａ（排水部）が形成され、支柱２と反対側の端部は、図８に示すように、閉止部９１５ｂにより閉止されている。
【００８４】
渡し樋本体９１の排水開口部９１５ａには、図７に示すように、誘導部材３６が取り付けられる。渡し樋本体９１の排水開口部９１５ａは、誘導部材３６を介して、渡し樋９を流通された水を、支柱側部箱体３の縦樋構成空間３０１（縦樋）に排出する。
【００８５】
一対の照明取付枠体８及び直接照明装置８５を備える照明構造について説明する。
照明取付枠体８は、図４に示すように、屋根体６の左右方向の一方側及び他方側の両側に一対設けられる。照明取付枠体８は、図９及び図１０に示すように、枠体側露出傾斜下面８１と、直接照明装置８５が配置される直接照明取付溝部８２と、間接照明装置（図示せず）を配置可能な間接照明取付部８３と、を備える。照明取付枠体８には、直接照明装置８５又は間接照明装置（図示せず）を取り付けることが可能である。
【００８６】
枠体側露出傾斜下面８１は、図９及び図１０に示すように、照明取付枠体８の下面により形成され、外側から内側に向かうに従って、下方から上方に向かうように直線状に延びる傾斜面により平面状に形成される。枠体側露出傾斜下面８１は、下方の外部に露出される面である。
【００８７】
直接照明取付溝部８２は、照明取付枠体８の下方側に形成される。直接照明取付溝部８２の内部には、直接照明装置８５が収容されて、ネジ止めされて取り付けられる。直接照明装置８５は、屋根体６の長手方向に所定長さ延びて形成される。直接照明取付溝部８２には、直接照明装置８５が、屋根体６の前側の斜め下方に光を直接的に照射するように配置される。直接照明取付溝部８２の手前側には、直接照明取付溝部８２に直接照明装置８５を取り付けた後に、透過性を有するアクリル板８４が取り付けられる。
【００８８】
図９及び図１０に示すように、照明取付枠体８は、左右枠材６３の照明ブラケット取付部６３１ｃにネジ６０５で固定された取付部材６３１ｊの引っ掛け部６３１ｋに、引っ掛けられる。この状態で、照明取付枠体８は、取付部材６３１ｊ及び照明ブラケット取付部６３１ｃにネジ６０６で共締めされる。直接照明装置８５は、照明取付枠体８が取付部材６３１ｊを介して照明ブラケット取付部６３１ｃに取り付けられた後に、照明取付枠体８に取り付けられる。
【００８９】
直接照明装置８５における前後枠材６２の外部から配線される配線ケーブル８５ａ（ケーブル）は、図７に示すように、外部から支柱側部箱体３の配線空間３０２に通されて、図７及び図８に示すように、渡し樋９の渡し樋上面カバー部材９２で構成される配線通し部材９５に配線される。配線通し部材９５を配線される配線ケーブル８５ａは、屋根体６の左右方向の一方側及び他方側の直接照明装置８５に向かうように配線されて、屋根体６の一対の左右枠材６３のそれぞれにおいて、左右枠材６３の左右枠材側ホロー部６３１を貫通して左右枠材側ホロー部６３１の内部を通される。左右枠材側ホロー部６３１の内部を通された配線ケーブル８５ａは、照明取付枠体８の内部を通されて、直接照明取付溝部８２に配置される直接照明装置８５に接続される。また、複数の直接照明装置８５を屋根体６の長手方向に直列に接続する配線ケーブル８５ｂは、照明取付枠体８の内部において屋根体６の長手方向に沿うように配置される。そのため、配線ケーブル８５ａ，８５ｂは、シェルター１の下方からは視認されない箇所に配線される。これにより、意匠性を向上できる。
【００９０】
間接照明取付部８３は、照明取付枠体８の上方側に形成される。間接照明装置（図示せず）により屋根体６の下方に光を間接的に照らす場合（間接照明）には、直接照明装置８５により屋根体６の下方に光を直接的に照らす場合（直接照明）（図９及び図１０参照）の配置に代えて、間接照明取付部８３に、間接照明装置（図示せず）を配置する。間接照明取付部８３には、間接照明装置（図示せず）が、斜め上方側に向けて光を照射して、屋根体６の下面に反射された光が、下方に向けて間接的に照射されるように配置される。間接照明装置の配線ケーブルは、直接照明装置８５と同様に、照明取付枠体８の内部を通されて接続される。
【００９１】
図９及び図１０に示すように、左右枠材６３の左右枠材側ホロー部６３１の上部の幅方向のパネル材６７側の端部は、複数の中間アーチ６４における中間アーチ本体７０（後述）の長手方向（屋根体６の左右方向）の端部がネジ固定される。中間アーチ６４は、パネル材６７（中間パネル材６７１、端部パネル材６７２）の幅方向（屋根体６の前後方向）の端部を保持する。中間アーチ６４におけるパネル材６７の幅方向（屋根体６の前後方向）の端部を保持する構成については後述する。
【００９２】
また、図９及び図１０に示すように、左右枠材６３の左右枠材側ホロー部６３１の上部の幅方向の中央寄りには、複数の左右枠材側パネル端部押さえ部材６３３が取り付けられる。複数の左右枠材側パネル端部押さえ部材６３３は、図１及び図３に示すように、複数のパネル材６７（中間パネル材６７１、端部パネル材６７２）が並ぶ方向（左右枠材６３の長手方向）に延びて形成され、左右枠材６３の長手方向に直線状に複数並べられて配置される。
【００９３】
複数の左右枠材側パネル端部押さえ部材６３３は、図１、図２、図９及び図１０に示すように、複数のパネル材６７（中間パネル材６７１、端部パネル材６７２）の長手方向の端部を上方から押さえると共に、複数の中間アーチ６４の長手方向の端部の少なくとも一部を覆うように配置される。
【００９４】
一対の前後枠材６２について説明する。図１５は、図５のＫ部分の拡大図である。
一対の前後枠材６２は、図１〜図３に示すように、前後方向に離間して配置され、屋根体６の左右方向に水平に延びて形成される。前後枠材６２は、屋根体６の前端部又は後端部に配置される。前後枠材６２は、図１５に示すように、中空部を有して構成される前後枠材側ホロー部（ホロー構造部）６２１と、前後枠材側樋部６２２と、前後枠材側パネル端部カバー部材６２７と、を有する。前後枠材側ホロー部６２１及び前後枠材側樋部６２２は、前後枠材６２の幅方向に並んで配置される。前後枠材６２の幅方向において、屋根体６の内側には、前後枠材側ホロー部６２１が配置され、屋根体６の外側には、前後枠材側樋部６２２が配置される。
【００９５】
前後枠材側ホロー部６２１は、図１５に示すように、前後枠材６２における屋根体６の内側に形成され、前後枠材６２の長手方向の全域に亘って延びる。前後枠材側ホロー部６２１は、下部に形成される前後枠材側下部溝６２１ａと、前後枠材側下部溝６２１ａを覆う下部カバー部材６２１ｂと、を有する。前後枠材側下部溝６２１ａは、前後枠材側ホロー部６２１の下部において前後枠材側ホロー部６２１の下端部から上方に窪む凹状に形成され、左右枠材６３の長手方向に延びる。前後枠材側ホロー部６２１の下方には、前後枠材側下部溝６２１ａを覆うように、下部カバー部材６２１ｂが取り付けられる。
【００９６】
前後枠材側ホロー部６２１の上面には、ネジ孔構成突起部６２３と、２つの下方側支持部６２５，６２６からなるパネル材支持部６２４（支持部）と、が形成される。２つの下方側支持部６２５，６２６は、前後枠材側ホロー部６２１の段差部分に配置される。ネジ孔構成突起部６２３側に配置される下方側支持部６２５は、屋根体６の内側に配置される下方側支持部６２６よりも下方に位置する。
【００９７】
２つの下方側支持部６２５，６２６は、端部パネル材６７２の幅方向（屋根体６の前後方向）の前後枠材６２側の端部を下方側から支持する。下方側支持部６２５，６２６には、上方側に開放するビード配置溝６２５ａ，６２６ａが形成される。ビード配置溝６２５ａ，６２６ａには、上方に向けて開放するＹ字状のビード材（弾性部材）６２５ｂ，６２６ｂが配置される。Ｙ字状のビード材（弾性部材）６２５ｂ，６２６ｂは、端部パネル材６７２の端部の下方側から当接する。
【００９８】
前後枠材側パネル端部カバー部材６２７は、断面形状がＬ字状に形成され、前後枠材６２の長手方向に延びる。前後枠材側パネル端部カバー部材６２７は、前後枠材６２の幅方向に延びる上面板状部６２７ａと、上面板状部６２７ａの内側の端部の下面に形成される１つの上方側保持部６２９からなるパネル材保持構成部６２８と、を有する。１つの上方側保持部６２９は、前後枠材６２における２つの下方側支持部６２５，６２６のうち、ネジ孔構成突起部６２３側の下方側支持部６２５の上方に対向した位置に配置される。上方側保持部６２９は、下方側に開放するビード配置溝６２９ａが形成される。ビード配置溝６２９ａには、下方に向けて開放するＹ字状のビード材（弾性部材）６２９ｂが配置される。Ｙ字状のビード材（弾性部材）６２９ｂは、端部パネル材６７２の端部の上方側から当接する。
【００９９】
以上のように構成される前後枠材６２においては、図１５に示すように、前後枠材６２の２つの下方側支持部６２５，６２６に、端部パネル材６７２の前後枠材６２側の端部を配置した状態で、前後枠材側パネル端部カバー部材６２７を、前後枠材６２にネジ６０１で固定する。
【０１００】
図１５に示すように、前後枠材側樋部６２２は、前後枠材側ホロー部６２１における屋根体６の外側に形成され、前後枠材６２の長手方向の全域に亘って延びる。前後枠材側樋部６２２は、前後枠材６２における上方が開放された枠状に形成され、屋根体６の上面を流れる水が流入されて、前後枠材側樋部６２２には、流入された水が溜められる。
【０１０１】
複数の中間アーチ６４について説明する。図１６は、図５のＬ部分の拡大図である。
中間アーチ６４は、図４に示すように、一対の左右枠材６３を繋ぐように屋根体６の左右方向に延びる。中間アーチ６４の長手方向の両端部は、図９及び図１０に示すように、一対の左右枠材６３にネジ固定される。中間アーチ６４は、図４に示すように、下方に配置される中間アーチ本体７０と、中間アーチ本体７０の上方に配置される中間アーチカバー部材７５と、を有する。中間アーチ本体７０及び中間アーチカバー部材７５は、屋根体６の左右方向の中央が両端部よりも上方側に位置するように湾曲される。
【０１０２】
中間アーチ本体７０は、図１６に示すように、中空部を有するホロー構成部７１と、ネジ孔構成突起部７２と、一対のパネル材支持部７３と、を有する。中間アーチ本体７０は、アルミ材料の押出し形材で形成される。
【０１０３】
ホロー構成部７１は、アルミ材料で形成され、所定幅を有して、左右方向に延びる。ホロー構成部７１は、断面形状が略台形状に形成される。
【０１０４】
一対のパネル材支持部７３は、それぞれ、２つの下方側支持部７３１，７３２（支持部）を有する。２つの下方側支持部７３１，７３２は、パネル材６７（中間パネル材６７１、端部パネル材６７２）における中間アーチ６４側の端部において、パネル材６７の下方側から２点で支持する。下方側支持部７３１，７３２には、上方側に開放するビード配置溝７３１ａ，７３２ａが形成される。ビード配置溝７３１ａ，７３２ａには、上方に向けて開放するＹ字状のビード材（弾性部材）７３１ｂ，７３２ｂが配置される。Ｙ字状のビード材（弾性部材）７３１ｂ，７３２ｂは、パネル材６７の端部の下方側から当接する。
【０１０５】
中間アーチカバー部材７５は、図１６に示すように、中間アーチ本体７０の上方に配置され、中間アーチ本体７０との間に湾曲したパネル材６７（中間パネル材６７１、端部パネル材６７２）の端部を挟み込む。中間アーチカバー部材７５は、板状部７６と、板状部７６の幅方向の中央に形成されるネジ固定部７７と、板状部７６の外側の端部の下面に形成される一対のパネル材保持構成部７８と、を有する。
【０１０６】
一対のパネル材保持構成部７８は、それぞれ、１つの上方側保持部７８１を有する。１つの上方側保持部７８１は、中間アーチ本体７０における２つの下方側支持部７３１，７３２のうち、ネジ孔構成突起部７２側の下方側支持部７３１の上方に対向した位置に配置される。上方側保持部７８１には、下方側に開放するビード配置溝７８１ａが形成される。ビード配置溝７８１ａには、下方に向けて開放するＹ字状のビード材（弾性部材）７８１ｂが配置される。Ｙ字状のビード材（弾性部材）７８１ｂは、パネル材６７の端部の上方側から当接する。
【０１０７】
以上のように構成される中間アーチ６４においては、図１６に示すように、中間アーチ本体７０の２つの下方側支持部７３１，７３２に、中間パネル材６７１の中間アーチ６４側の端部を配置した状態で、中間アーチカバー部材７５を、中間アーチ本体７０にネジ７０５で固定する。
【０１０８】
以上説明した本実施形態のシェルター１によれば、以下のような効果を奏する。
本実施形態においては、シェルター１は、屋根体６と、屋根体６を支持する支柱２と、屋根体６の下方において屋根体６の一方側と他方側とに渡されて延びる渡し樋９と、屋根体６の一方側の下方において、渡し樋９の一方側を屋根体６に固定して支持する基端側支持部材９７と、屋根体６の他方側の下方において、渡し樋９の他方側を屋根体６に対して渡し樋９の長手方向にスライド可能に支持する先端側支持部材９８と、を備える。
【０１０９】
そのため、基端側支持部材９７により、渡し樋９の基端側を左枠材６３Ａに固定して支持すると共に、先端側支持部材９８により、渡し樋９の他方側を屋根体６に対して渡し樋９の長手方向にスライド可能に支持する。そのため、屋根体６が撓んだとしても、渡し樋９に掛かる負荷を逃がすことができ、渡し樋９に負荷が掛かることを抑制できる。よって、渡し樋９の破損を抑制でき、渡し樋９の落下を抑制できる。これにより、安全性を向上できる。
【０１１０】
また、本実施形態においては、左枠材６３Ａには、上面から窪むと共に渡し樋９の一方側の部分に水を排出する左右枠材側樋部６３２が形成され、屋根体６の右枠材６３Ｂには、上面から窪むと共に渡し樋９の他方側の部分に水を排出する左右枠材側樋部６３２が形成される。そのため、一対の左右枠材６３それぞれ樋部（左右枠材側樋部６３２）を設けて、樋部から排出される水を渡し樋９に排出できる。これにより、排水性能を向上できる。
【０１１１】
また、本実施形態においては、支柱２側に配置される縦樋構成空間３０１を備え、渡し樋９の一方側には、縦樋構成空間３０１に水を排出する排水開口部９１５ａが形成される。そのため、渡し樋９に流れる水を縦樋構成空間３０１に排出できる。これにより、排水性能を一層向上できる。
【０１１２】
以上、本発明のシェルター１の好ましい一実施形態について説明したが、本発明は、上述した実施形態に制限されるものではなく、適宜変更が可能である。
例えば、前記実施形態では、シェルター１を、屋根体６を左右方向の片側において支柱２で支持する、いわゆる、片支持構造のシェルター１により説明したが、これに限定されず、屋根体６を左右方向の両側それぞれの端部を支柱で支持する、いわゆる、両支持構造のシェルターでもよい。また、本実施形態のシェルター１は、梁４に屋根体６が吊られる吊り構造としたが、これに限定されず、両支持構造及び片支持構造のシェルターいずれの場合においても、屋根体６が支柱２の上端部に置かれる置き構造としてもよい。両支持構造のシェルターにおいて、左右方向の両側に照明装置を設けてもよい。
【符号の説明】
【０１１３】
１  シェルター（屋根構造体）
２  支柱（柱材）
４  梁
６  屋根体
９  渡し樋
６１  フレーム体
６２  前後枠材（枠材）
６３  左右枠材（枠材）
６３Ａ  左枠材（一方側枠材）
６３Ｂ  右枠材（他方側枠材）
９１  渡し樋本体
９２  渡し樋上面カバー部材（渡し樋カバー部材）
６７  パネル材
９７  基端側支持部材（一方側支持部材）
９８  先端側支持部材（他方側支持部材）
３０１  縦樋構成空間（縦樋）
６３２  左右枠材側樋部（一方側枠材樋、他方側枠材樋）
９１５ａ  排水開口部（排水部）
【図１】
2019127758.tif 000003
【図２】
2019127758.tif 000004
【図３】
2019127758.tif 000005
【図４】
2019127758.tif 000006
【図５】
2019127758.tif 000007
【図６】
2019127758.tif 000008
【図７】
2019127758.tif 000009
【図８】
2019127758.tif 000010
【図９】
2019127758.tif 000011
【図１０】
2019127758.tif 000012
【図１１】
2019127758.tif 000013
【図１２】
2019127758.tif 000014
【図１３】
2019127758.tif 000015
【図１４】
2019127758.tif 000016
【図１５】
2019127758.tif 000017
【図１６】
2019127758.tif 000018